(57)【要約】【課題】２つの導電部の接触抵抗の上昇を抑制することができる蓄電装置を提供する。【解決手段】電極体を有する蓄電素子２００を備える蓄電装置１０であって、電極体を流れる電流の経路に配置される第一導電部（バスバー５１０等）及び第二導電部（バスバー４１０等）と、第二導電部を貫通する軸部６１４と、第一導電部とで第二導電部を挟み、かつ、軸部６１４と接続されて、第一導電部及び第二導電部を締結する第一締結部（ナット部６１１）と、を備え、第一導電部は、第二導電部に対向する第一対向面５１０ｂを有し、第二導電部は、第一導電部に対向する第二対向面４１０ｂを有し、第一締結部は、第二導電部に対向する第一締結面６１１ｂを有し、第一締結面６１１ｂの平面度は、第一対向面５１０ｂ及び第二対向面４１０ｂの少なくとも一方の平面度よりも小さい。【選択図】図４
2020149847.tif 000002
【特許請求の範囲】
【請求項１】
電極体を有する蓄電素子を備える蓄電装置であって、
前記電極体を流れる電流の経路に配置される第一導電部及び第二導電部と、
前記第二導電部を貫通する軸部と、
前記第一導電部とで前記第二導電部を挟み、かつ、前記軸部と接続されて、前記第一導電部及び前記第二導電部を締結する第一締結部と、を備え、
前記第一導電部は、前記第二導電部に対向する第一対向面を有し、
前記第二導電部は、前記第一導電部に対向する第二対向面を有し、
前記第一締結部は、前記第二導電部に対向する第一締結面を有し、
前記第一締結面の平面度は、前記第一対向面及び前記第二対向面の少なくとも一方の平面度よりも小さい
蓄電装置。
【請求項２】
前記第一締結面の平面度は、前記第一対向面及び前記第二対向面の双方の平面度よりも小さい
請求項１に記載の蓄電装置。
【請求項３】
前記第二導電部は、前記第一締結面に対向する第三対向面を有し、
前記第一締結面の平面度は、前記第三対向面の平面度よりも小さい
請求項１または２に記載の蓄電装置。
【請求項４】
さらに、
前記第一締結部とで前記第一導電部及び前記第二導電部を挟み、かつ、前記第一導電部及び前記第二導電部を貫通した前記軸部が接続されて、前記第一導電部及び前記第二導電部を締結する第二締結部を備え、
前記第二締結部は、前記第一導電部に対向する第二締結面を有し、
前記第二締結面の平面度は、前記第一対向面及び前記第二対向面の少なくとも一方の平面度よりも小さい
請求項１〜３のいずれか１項に記載の蓄電装置。
【請求項５】
前記第一締結部は、さらに、前記第一締結面から前記第二導電部に向けて突出する突起であって、前記軸部の周囲を囲う環状の突起を有する
請求項１〜４のいずれか１項に記載の蓄電装置。
【発明の詳細な説明】
【技術分野】
【０００１】
本発明は、主電流経路に配置される２つの導電部が締結部で締結された構成を有する蓄電装置に関する。
【背景技術】
【０００２】
従来、主電流経路に配置される２つの導電部が締結部で締結された構成を有する蓄電装置が広く知られている。例えば、特許文献１には、止ネジ（締結部）を接続端子のナット部にねじ込むことで、接続端子及びバスバー（２つの導電部）を固定する構成の電池（蓄電装置）が開示されている。
【先行技術文献】
【特許文献】
【０００３】
【特許文献１】特開２００８−３４２９８号公報
【発明の概要】
【発明が解決しようとする課題】
【０００４】
しかしながら、上記従来の蓄電装置では、２つの導電部の接触抵抗が上昇するおそれがあるという問題がある。つまり、本願発明者は、上記従来の蓄電装置においては、使用に伴って締結部が導電部に食い込み、締結部による２つの導電部の締結力が緩んでくる場合があることを見出した。特に、蓄電装置においては、例えば、充放電に伴い導電部の温度変化が繰り返されて膨張収縮が起こると、締結部が導電部に食い込み易くなるため、締結部による２つの導電部の締結力が緩み易くなる。締結部による２つの導電部の締結力が緩むと、２つの導電部の接触面積が減少して、接触抵抗が上昇してしまう。
【０００５】
本発明は、本願発明者が上記課題に新たに着目することによってなされたものであり、２つの導電部の接触抵抗の上昇を抑制することができる蓄電装置を提供することを目的とする。
【課題を解決するための手段】
【０００６】
上記目的を達成するために、本発明の一態様に係る蓄電装置は、電極体を有する蓄電素子を備える蓄電装置であって、前記電極体を流れる電流の経路に配置される第一導電部及び第二導電部と、前記第二導電部を貫通する軸部と、前記第一導電部とで前記第二導電部を挟み、かつ、前記軸部と接続されて、前記第一導電部及び前記第二導電部を締結する第一締結部と、を備え、前記第一導電部は、前記第二導電部に対向する第一対向面を有し、前記第二導電部は、前記第一導電部に対向する第二対向面を有し、前記第一締結部は、前記第二導電部に対向する第一締結面を有し、前記第一締結面の平面度は、前記第一対向面及び前記第二対向面の少なくとも一方の平面度よりも小さい。
【０００７】
これによれば、蓄電装置において、主電流経路上の第一導電部及び第二導電部が第一締結部で締結されており、第一締結部の第二導電部側の第一締結面の平面度は、第一導電部の第一対向面及び第二導電部の第二対向面の少なくとも一方の平面度よりも小さく形成されている。ここで、第一締結部の第一締結面の平面度が大きいと、第一締結部が第二導電部に食い込むことにより、第一締結部による第一導電部及び第二導電部の締結力（軸部の軸力）が緩み易い。このため、第一締結面の平面度を、第一導電部及び第二導電部の対向面である第一対向面及び第二対向面の少なくとも一方の平面度よりも小さくする。このように、第一締結面の平面度を小さくすることにより、第一締結部が第二導電部に食い込み難くなるため、第一導電部及び第二導電部の締結力が緩み難くなる。また、第一締結面の平面度は、第一導電部及び第二導電部の対向面の少なくとも一方の平面度よりも小さいため、第一締結部が第二導電部に食い込んでも、第一導電部及び第二導電部の締結力に影響を及ぼし難い。これにより、第一導電部の第一対向面及び第二導電部の第二対向面の接触面積が減少するのを抑制することができるため、第一導電部及び第二導電部の接触抵抗の上昇を抑制することができる。
【０００８】
また、前記第一締結面の平面度は、前記第一対向面及び前記第二対向面の双方の平面度よりも小さいことにしてもよい。
【０００９】
これによれば、第一締結部の第一締結面の平面度は、第一導電部の第一対向面及び第二導電部の第二対向面の双方の平面度よりも小さく形成されている。このように、第一締結面の平面度を、第一対向面及び第二対向面の双方の平面度よりも小さくすることで、第一締結部が第二導電部にさらに食い込み難くなるため、第一導電部及び第二導電部の締結力がさらに緩み難くなる。また、第一締結部が第二導電部に食い込んでも、第一導電部及び第二導電部の締結力にさらに影響を及ぼし難い。これにより、第一導電部の第一対向面及び第二導電部の第二対向面の接触面積が減少するのをさらに抑制することができるため、第一導電部及び第二導電部の接触抵抗の上昇をさらに抑制することができる。
【００１０】
また、前記第二導電部は、前記第一締結面に対向する第三対向面を有し、前記第一締結面の平面度は、前記第三対向面の平面度よりも小さいことにしてもよい。
【００１１】
これによれば、第一締結部の第一締結面の平面度は、第二導電部の第一締結部側の第三対向面の平面度よりも小さく形成されている。このように、第一締結面の平面度を、第二導電部の第三対向面の平面度よりも小さくすることで、第一締結部が第二導電部に食い込むのを抑制することができる。これにより、第一導電部及び第二導電部の締結力が緩み難くなり、第一対向面及び第二対向面の接触面積が減少するのを抑制することができるため、第一導電部及び第二導電部の接触抵抗の上昇を抑制することができる。
【００１２】
また、さらに、前記第一締結部とで前記第一導電部及び前記第二導電部を挟み、かつ、前記第一導電部及び前記第二導電部を貫通した前記軸部が接続されて、前記第一導電部及び前記第二導電部を締結する第二締結部を備え、前記第二締結部は、前記第一導電部に対向する第二締結面を有し、前記第二締結面の平面度は、前記第一対向面及び前記第二対向面の少なくとも一方の平面度よりも小さいことにしてもよい。
【００１３】
これによれば、第一導電部及び第二導電部が第一締結部と第二締結部とで締結されており、第二締結部の第一導電部側の第二締結面の平面度は、第一導電部の第一対向面及び第二導電部の第二対向面の少なくとも一方の平面度よりも小さく形成されている。このように、第二締結面の平面度を小さくすることにより、第二締結部が第一導電部に食い込み難くなるため、第一導電部及び第二導電部の締結力が緩み難くなる。また、第二締結面の平面度は、第一導電部及び第二導電部の対向面の少なくとも一方の平面度よりも小さいため、第二締結部が第一導電部に食い込んでも、第一導電部及び第二導電部の締結力に影響を及ぼし難い。これにより、第一導電部の第一対向面及び第二導電部の第二対向面の接触面積が減少するのを抑制することができるため、第一導電部及び第二導電部の接触抵抗の上昇を抑制することができる。
【００１４】
また、前記第一締結部は、さらに、前記第一締結面から前記第二導電部に向けて突出する突起であって、前記軸部の周囲を囲う環状の突起を有することにしてもよい。
【００１５】
これによれば、第一締結部は、第一締結面から第二導電部に向けて突出する環状の突起を有している。このように、第一締結部が、環状の突起を有することで、当該突起が第二導電部を押圧するため、第一導電部と第二導電部との間の面圧を上げることができる。これにより、第一導電部の第一対向面及び第二導電部の第二対向面の接触面積が減少するのを抑制することができるため、第一導電部及び第二導電部の接触抵抗の上昇を抑制することができる。また、第一導電部と第二導電部との間の面圧を上げることで、外部からの酸素の流入を抑制することができるため、第一対向面及び第二対向面が酸化し難くなり、これによっても、第一導電部及び第二導電部の接触抵抗の上昇を抑制することができる。
【００１６】
なお、本発明は、このような蓄電装置として実現することができるだけでなく、導電部（第一導電部、第二導電部）及び締結部（第一締結部、第二締結部）としても実現することができる。
【発明の効果】
【００１７】
本発明における蓄電装置によれば、２つの導電部の接触抵抗の上昇を抑制することができる。
【図面の簡単な説明】
【００１８】
【図１】実施の形態に係る蓄電装置の外観を示す斜視図である。
【図２】実施の形態に係る蓄電装置を分解した場合の各構成要素を示す分解斜視図である。
【図３】実施の形態に係るバスバー及び締結部材の構成を示す斜視図である。
【図４】実施の形態に係るバスバーを締結部材で締結した状態での構成を示す断面図である。
【図５】実施の形態に係る蓄電装置が奏する効果を説明するための図である。
【図６】実施の形態の変形例に係るバスバーを締結部材で締結した状態での構成を示す断面図である。
【発明を実施するための形態】
【００１９】
以下、図面を参照しながら、本発明の実施の形態（及びその変形例）に係る蓄電装置について説明する。なお、以下で説明する実施の形態は、いずれも包括的または具体的な例を示すものである。以下の実施の形態で示される数値、形状、材料、構成要素、構成要素の配置位置及び接続形態、製造工程、製造工程の順序等は、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２０】
また、以下の説明及び図面中において、蓄電素子の並び方向、または、蓄電素子の容器の長側面の対向方向を、Ｘ軸方向と定義する。１つの蓄電素子における一対（正極側及び負極側）の電極端子の並び方向、または、蓄電素子の容器の短側面の対向方向を、Ｙ軸方向と定義する。蓄電装置の外装体の外装体本体と蓋との並び方向、蓄電素子の容器本体と蓋との並び方向、または、上下方向を、Ｚ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸プラス方向とは、Ｘ軸の矢印方向を示し、Ｘ軸マイナス方向とは、Ｘ軸プラス方向とは反対方向を示す。Ｙ軸方向及びＺ軸方向についても同様である。
【００２１】
（実施の形態）
［１  蓄電装置１０の全般的な説明］
まず、本実施の形態における蓄電装置１０の全般的な説明を行う。図１は、本実施の形態に係る蓄電装置１０の外観を示す斜視図である。図２は、本実施の形態に係る蓄電装置１０を分解した場合の各構成要素を示す分解斜視図である。
【００２２】
蓄電装置１０は、外部からの電気を充電し、また外部へ電気を放電することができる装置であり、本実施の形態では、略直方体形状を有している。例えば、蓄電装置１０は、電力貯蔵用途や電源用途等に使用される電池モジュール（組電池）である。具体的には、蓄電装置１０は、例えば、電気自動車（ＥＶ）、ハイブリッド電気自動車（ＨＥＶ）若しくはプラグインハイブリッド電気自動車（ＰＨＥＶ）等の自動車、自動二輪車、ウォータークラフト、スノーモービル、農業機械、建設機械、または、電車、モノレール若しくはリニアモーターカー等の電気鉄道用の鉄道車両等の移動体の駆動用若しくはエンジン始動用、または、家庭用若しくは発電機用に使用される定置用のバッテリ等として用いられる。
【００２３】
図１に示すように、蓄電装置１０は、外装体１００を備えており、図２に示すように、外装体１００の内方には、複数の蓄電素子２００、バスバーフレーム３００、バスバー４００及び５００、締結部材６００、並びに、電気機器７００等が収容されている。なお、蓄電装置１０は、複数の蓄電素子２００の間に配置されるスペーサ、及び、複数の蓄電素子２００を拘束する拘束部材（サイドプレート、エンドプレート等）等を備えていてもよい。
【００２４】
外装体１００は、蓄電装置１０の外装体を構成する箱形（略直方体形状）の容器（モジュールケース）である。つまり、外装体１００は、複数の蓄電素子２００、バスバーフレーム３００及び複数のバスバー４００、５００等の外方に配置され、これら蓄電素子２００等を所定の位置に配置し、衝撃等から保護する。また、外装体１００は、例えば、ポリカーボネート（ＰＣ）、ポリプロピレン（ＰＰ）、ポリエチレン（ＰＥ）、ポリフェニレンサルファイド樹脂（ＰＰＳ）、ポリフェニレンエーテル（ＰＰＥ（変性ＰＰＥを含む））、ポリエチレンテレフタラート（ＰＥＴ）、ポリブチレンテレフタレート（ＰＢＴ）、ポリエーテルエーテルケトン（ＰＥＥＫ）、テトラフルオロエチレン・パーフルオロアルキルビニルエーテル（ＰＦＡ）、ポリテトラフルオロエチレン（ＰＴＦＥ）、ポリエーテルサルフォン（ＰＥＳ）、ＡＢＳ樹脂、または、それらの複合材料等の絶縁部材等により形成されている。外装体１００は、これにより、蓄電素子２００等が外部の金属部材等に接触することを回避する。なお、蓄電素子２００等の絶縁性が保たれる構成であれば、外装体１００は、金属等の導電部材で形成されていてもよい。
【００２５】
ここで、外装体１００は、外装体１００の本体を構成する外装体本体１１０と、外装体１００の蓋体を構成する外装体蓋体１２０と、を有している。外装体本体１１０は、開口が形成された有底矩形筒状のハウジング（筐体）であり、蓄電素子２００等を収容する。外装体蓋体１２０は、外装体本体１１０とヒートシール等によって接合されて、外装体本体１１０の開口を閉塞する扁平な矩形状の部材である。外装体蓋体１２０には、正極外部端子１２１と負極外部端子１２２とが設けられている。蓄電装置１０は、この正極外部端子１２１と負極外部端子１２２とを介して、外部からの電気を充電し、また外部へ電気を放電する。
【００２６】
また、外装体蓋体１２０は、上面（Ｚ軸プラス方向側の面）における、正極外部端子１２１側の位置に平板状の小蓋１２３を有し、負極外部端子１２２側の位置に平板状の小蓋１２４を有している。小蓋１２３、１２４は、例えば、バスバー４００側のバスバー５００と、正極外部端子１２１または負極外部端子１２２側のバスバー５００とを接続する際に、接続部分を露出させて接続作業を行うための作業用の蓋として用いられる。なお、小蓋１２３、１２４は、制御用配線等を接続するためのコネクタ、または、蓄電素子２００からの排気を排出する弁等を収容する収容空間にアクセスするための蓋等として用いることもできる。外装体本体１１０、外装体蓋体１２０の本体部分、小蓋１２３及び１２４は、全てが同じ材質の部材で形成されていてもよいし、いずれかが異なる材質の部材で形成されていてもよい。
【００２７】
蓄電素子２００は、電気を充電し、また、電気を放電することのできる二次電池（単電池）であり、より具体的には、リチウムイオン二次電池等の非水電解質二次電池である。蓄電素子２００は、扁平な直方体形状（角形）の形状を有しており、本実施の形態では、８個の蓄電素子２００がＸ軸方向に並んで配列されている。なお、蓄電素子２００の形状や、配列される蓄電素子２００の個数は限定されない。また、蓄電素子２００は、非水電解質二次電池には限定されず、非水電解質二次電池以外の二次電池であってもよいし、キャパシタであってもよい。また、蓄電素子２００は、二次電池ではなく、使用者が充電をしなくても蓄えられている電気を使用できる一次電池であってもよい。さらに、蓄電素子２００は、固体電解質を用いた電池であってもよい。また、蓄電素子２００は、ラミネート型の蓄電素子とすることもできる。
【００２８】
具体的には、蓄電素子２００は、容器２１０と、一対（正極側及び負極側）の電極端子２２０と、を備えている。また、容器２１０の内方には、電極体、一対の集電体、及び、電解液（非水電解質）等が収容されているが、これらの図示は省略する。容器２１０は、直方体形状（角形）の容器であり、例えば、ステンレス鋼、アルミニウム、アルミニウム合金、鉄、メッキ鋼板等の金属等で形成されている。電極端子２２０は、集電体を介して、電極体の正極板及び負極板に電気的に接続される端子（正極端子及び負極端子）であり、例えば、アルミニウム、アルミニウム合金、銅または銅合金等で形成されている。
【００２９】
電極体は、正極板と負極板とセパレータとが積層されて形成された蓄電要素（発電要素）である。正極板は、アルミニウムまたはアルミニウム合金等の金属からなる長尺帯状の集電箔である正極基材層上に正極活物質層が形成されたものである。負極板は、銅または銅合金等の金属からなる長尺帯状の集電箔である負極基材層上に負極活物質層が形成されたものである。正極活物質層及び負極活物質層に用いられる活物質としては、リチウムイオンを吸蔵放出可能なものであれば、適宜公知の材料を使用できる。また、集電体は、電極端子２２０と電極体とに電気的に接続される導電性と剛性とを備えた部材（正極集電体及び負極集電体）である。なお、正極集電体は、正極板の正極基材層と同様、アルミニウムまたはアルミニウム合金等で形成され、負極集電体は、負極板の負極基材層と同様、銅または銅合金等で形成されている。電解液としては、蓄電素子２００の性能を損なうものでなければその種類に特に制限はなく、様々なものを選択することができる。
【００３０】
バスバーフレーム３００は、バスバー４００及び電気機器７００等と他の部材との絶縁、並びに、バスバー４００及び電気機器７００等の位置規制を行う矩形状かつ平板状の部材である。具体的には、バスバーフレーム３００上にバスバー４００及び電気機器７００等が載置されて位置決めされ、また、複数の蓄電素子２００上にバスバーフレーム３００が載置されて複数の蓄電素子２００に対して位置決めされる。これにより、バスバー４００が、複数の蓄電素子２００に対して位置決めされる。なお、バスバーフレーム３００は、例えばＰＣ、ＰＰ、ＰＥ、ＰＰＳ、ＰＥＴ、ＰＢＴまたはＡＢＳ樹脂等の絶縁材料により形成されているが、絶縁性を有する部材であればどのような材質で形成されていてもかまわない。
【００３１】
バスバー４００は、複数の蓄電素子２００の上方に配置され、複数の蓄電素子２００の電極端子２２０に接続される矩形状かつ平板状の部材である。これにより、バスバー４００は、複数の蓄電素子２００の電極端子２２０同士を接続し、かつ、端部の蓄電素子２００の電極端子２２０と正極外部端子１２１及び負極外部端子１２２とを接続する。バスバー４００は、例えば、アルミニウム、アルミニウム合金、銅または銅合金等の金属製の導電部材で形成されている。
【００３２】
具体的には、バスバー４００は、バスバー４１０、４２０及び４３０を有している。バスバー４３０は、蓄電素子２００を２個ずつ並列に接続して４セットの蓄電素子群を構成し、当該４セットの蓄電素子群を直列に接続する。バスバー４１０は、正極外部端子１２１側（Ｘ軸プラス方向側）に配置された蓄電素子群内の２個の蓄電素子２００の正極端子に接続され、かつ、バスバー５００及び電気機器７００を介して、正極外部端子１２１と接続される。バスバー４２０は、負極外部端子１２２側（Ｘ軸マイナス方向側）に配置された蓄電素子群内の２個の蓄電素子２００の負極端子に接続され、かつ、バスバー５００及び電気機器７００を介して、負極外部端子１２２と接続される。なお、バスバー４００は、８個の蓄電素子２００を全て直列に接続してもよいし、その他の構成であってもかまわない。
【００３３】
バスバー５００は、バスバー４１０及び４２０と正極外部端子１２１及び負極外部端子１２２とに接続されて、バスバー４１０及び４２０と正極外部端子１２１及び負極外部端子１２２とを電気的に接続する矩形状かつ平板状の部材である。バスバー５００は、バスバー４００と同様に、例えば、アルミニウム、アルミニウム合金、銅または銅合金等の金属製の導電部材で形成されている。
【００３４】
締結部材６００は、バスバー５００及びバスバー４１０、バスバー５００及びバスバー４２０、または、２つのバスバー５００同士を締結する部材である。締結部材６００の材質及び形状等は特に限定されないが、締結される部材（バスバー５００、バスバー４１０及び４２０）のいずれか一方よりも強度（剛性、硬度）の高い部材であるのが好ましい。本実施の形態では、締結部材６００は、鉄またはステンレス等の金属製等のボルト部及びナット部である。
【００３５】
このように、バスバー４００、５００、正極外部端子１２１及び負極外部端子１２２は、蓄電素子２００の電極体を流れる電流（主電流）の経路に配置されて、当該主電流が流れる導電部である。そして、締結部材６００は、２つの当該導電部を締結する部材である。これらバスバー４００（特にバスバー４１０及び４２０）、バスバー５００、並びに、締結部材６００の構成の詳細な説明については、後述する。
【００３６】
電気機器７００は、バスバーフレーム３００に載置される電気品である。電気機器７００は、例えば、蓄電素子２００の充電状態や放電状態を監視するための回路基板、ヒューズ、リレー、シャント抵抗、コネクタ等の電気部品を有している。電気機器７００は、バスバー５００に接続されて、蓄電素子２００、正極外部端子１２１、負極外部端子１２２等と電気的に接続される。
【００３７】
［２  バスバー４００、５００、及び、締結部材６００の構成の説明］
次に、バスバー４００（特にバスバー４１０及び４２０）、バスバー５００、並びに、締結部材６００の構成について、詳細に説明する。図３は、本実施の形態に係るバスバー５００及び締結部材６００の構成を示す斜視図である。具体的には、図３は、図２のバスバー５００及び締結部材６００を拡大して示す拡大斜視図である。図４は、本実施の形態に係るバスバー４１０及びバスバー５１０を締結部材６１０で締結した状態での構成を示す断面図である。つまり、図４は、図２に示したバスバー４１０及び図３に示したバスバー５１０を図３に示した締結部材６１０で締結した状態を、ＸＺ平面に平行な面で切断した場合の構成を示す断面図である。なお、バスバー４２０側（図２に示したバスバー４２０及び図３に示したバスバー５６０を図３に示した締結部材６６０で締結した構成）についても、図４のバスバー４１０側と同様の構成になるため、バスバー４２０側についての説明は簡略化または省略する。
【００３８】
図３に示すように、バスバー５００は、バスバー５１０、５２０、５３０、５４０、５５０、５６０及び５７０を有している。バスバー５１０は、一端がバスバー４１０と接続される（図４参照）とともに、他端がバスバー５２０と接続される。バスバー５２０は、Ｙ軸マイナス方向側の端部が電気機器７００と接続されるとともに、バスバー５１０と接続される。バスバー５３０は、Ｘ軸マイナス方向側の端部が電気機器７００と接続されるとともに、バスバー５４０と接続される。バスバー５４０は、一端がバスバー５３０と接続されるとともに、他端がバスバー５５０と接続される。バスバー５５０は、一端がバスバー５４０と接続されるとともに、他端が正極外部端子１２１と接続される。バスバー５６０は、一端がバスバー４２０と接続されるとともに、他端がバスバー５７０と接続される。バスバー５７０は、一端がバスバー５６０と接続されるとともに、他端が負極外部端子１２２と接続される。
【００３９】
なお、これらのバスバーのうち、電気機器７００に近接して配置されるバスバーは、電気機器７００と一体化してもよい。例えば、バスバー５２０及び５３０は、電気機器７００と一体化することができる。あるいは、バスバー５２０及び５３０は、電気機器７００の端子と考えることができる。また、これらのバスバーは単独の部材としてそれぞれ電気的に接続されるようにしてもよい。
【００４０】
締結部材６００は、上述のバスバー同士等を締結する部材であり、締結部材６１０、６２０、６３０、６４０、６５０、６６０、６７０及び６８０を有している。つまり、締結部材６１０は、バスバー５１０及びバスバー４１０を締結する。締結部材６２０は、バスバー５１０及びバスバー５２０を締結する。締結部材６３０は、バスバー５３０及びバスバー５４０を締結する。締結部材６４０は、バスバー５４０及びバスバー５５０を締結する。締結部材６５０は、バスバー５５０及び正極外部端子１２１を締結する。締結部材６６０は、バスバー５６０及びバスバー４２０を締結する。締結部材６７０は、バスバー５６０及びバスバー５７０を締結する。締結部材６８０は、バスバー５７０及び負極外部端子１２２を締結する。
【００４１】
なお、バスバー５００、バスバー４１０、４２０、正極外部端子１２１及び負極外部端子１２２のうちの締結部材６００によって締結される２つの部材は、第一導電部及び第二導電部の一例である。例えば、バスバー５１０（またはバスバー５６０）は、第一導電部の一例であり、バスバー４１０（またはバスバー４２０）は、第二導電部の一例である。また、バスバー５１０及びバスバー５２０、バスバー５４０及びバスバー５３０、バスバー５４０及びバスバー５５０、正極外部端子１２１及びバスバー５５０、バスバー５６０及びバスバー５７０、または、負極外部端子１２２及びバスバー５７０は、第一導電部及び第二導電部の一例である。
【００４２】
ここで、第一導電部及び第二導電部の一例として、バスバー５１０及びバスバー４１０を例示して、バスバー５１０及びバスバー４１０が締結部材６１０で締結される構成について、詳細に説明する。なお、上述した第一導電部及び第二導電部の一例とされるその他の部材についても、同様の構成により締結部材６００で締結されるため、詳細な説明は省略する。
【００４３】
図４に示すように、締結部材６１０は、ナット部６１１と、ボルト部６１２とを有しており、ボルト部６１２は、頭部６１３と、軸部６１４とを有している。ナット部６１１及びボルト部６１２の形状は特に限定されないが、本実施の形態では、ナット部６１１は、四角ナット等であり、ボルト部６１２は、頭部６１３に鍔部が設けられたフランジボルト等である。また、ナット部６１１及びボルト部６１２の材質も特に限定されないが、本実施の形態では、鉄製等であり、例えば銅製のバスバー５１０、及び、例えばアルミニウム製のバスバー４１０よりも硬度が高い材質が用いられている。なお、ナット部６１１は、第一締結部の一例であり、頭部６１３は、第二締結部の一例である。つまり、本実施の形態では、第一締結部と軸部６１４とは別体で構成されており、第二締結部と軸部６１４とは一体に形成されている。
【００４４】
ナット部６１１（第一締結部）は、ボルト部６１２の軸部６１４と接続されて、バスバー５１０（第一導電部）及びバスバー４１０（第二導電部）を締結する部材である。つまり、ナット部６１１及びバスバー５１０で、バスバー４１０を挟み込んでいる。ボルト部６１２の頭部６１３（第二締結部）は、バスバー５１０及びバスバー４１０を貫通した軸部６１４が接続されて、バスバー５１０及びバスバー４１０を締結する部材である。つまり、ボルト部６１２の頭部６１３及びナット部６１１で、バスバー５１０及びバスバー４１０を挟み込んでいる。ボルト部６１２の軸部６１４は、バスバー４１０とバスバー５１０とを貫通する部位である。
【００４５】
具体的には、ナット部６１１は、ねじ部（雌ネジ）が形成された貫通孔６１１ａを有している。また、バスバー４１０は、円形状の貫通孔４１０ａを有し、バスバー５１０は、円形状の貫通孔５１０ａを有している。さらに、ボルト部６１２において、頭部６１３には軸部６１４が接続されており、軸部６１４の外周部には、ねじ部（雄ネジ）が形成されている。これにより、ボルト部６１２の軸部６１４が、バスバー４１０の貫通孔４１０ａとバスバー５１０の貫通孔５１０ａとに挿入され、かつ、ナット部６１１の貫通孔６１１ａに螺合されながら挿入されてナット部６１１と締結されることで、ボルト部６１２とナット部６１１とが接続される。
【００４６】
このようにして、ナット部６１１及びバスバー５１０でバスバー４１０を挟む、つまり、ナット部６１１及び頭部６１３でバスバー５１０及びバスバー４１０を挟むように、ナット部６１１がボルト部６１２と接続されて、バスバー５１０及びバスバー４１０が締結される。なお、ボルト部６１２及びナット部６１１は、バスバー５１０及びバスバー４１０の限界面圧以下の軸力となるトルクで締結されることが望ましい。
【００４７】
このような構成により、バスバー５１０とバスバー４１０とが対向して配置され、ボルト部６１２の頭部６１３とバスバー５１０とが対向して配置され、バスバー４１０とナット部６１１とが対向して配置される。このため、バスバー５１０は、バスバー４１０に対向する第一対向面５１０ｂを有し、バスバー４１０は、バスバー５１０の第一対向面５１０ｂに対向する第二対向面４１０ｂを有することとなる。また、ナット部６１１は、バスバー４１０に対向する第一締結面６１１ｂを有し、バスバー４１０は、ナット部６１１の第一締結面６１１ｂに対向する第三対向面４１０ｃを有することとなる。さらに、頭部６１３は、バスバー５１０に対向する第二締結面６１３ａを有し、バスバー５１０は、頭部６１３の第二締結面６１３ａに対向する第四対向面５１０ｃを有することとなる。
【００４８】
つまり、バスバー５１０は、Ｚ軸プラス方向側の平面（上面）である第四対向面５１０ｃと、Ｚ軸マイナス方向側の平面（下面）である第一対向面５１０ｂと、を有している。バスバー４１０は、Ｚ軸プラス方向側の平面（上面）である第二対向面４１０ｂと、Ｚ軸マイナス方向側の平面（下面）である第三対向面４１０ｃと、を有している。ナット部６１１は、Ｚ軸プラス方向側の平面（上面）である第一締結面６１１ｂを有している。頭部６１３は、Ｚ軸マイナス方向側の平面（下面）である第二締結面６１３ａを有している。
【００４９】
そして、ナット部６１１の第一締結面６１１ｂの平面度は、バスバー５１０の第一対向面５１０ｂ及びバスバー４１０の第二対向面４１０ｂの少なくとも一方の平面度よりも小さく形成されている。ここでの平面度とは、軸部６１４の軸方向（Ｚ軸方向）から見て、第一導電部及び第二導電部を締結する第一締結部及び第二締結部が重なる領域内での平面度、つまり、ナット部６１１と頭部６１３とが重なる領域（図４の領域Ｒ）内での平面度である。本実施の形態では、Ｚ軸方向と垂直な方向（図４ではＸ軸方向）における幅が、ナット部６１１の方が頭部６１３よりも小さいため、領域Ｒは、Ｚ軸方向から見てナット部６１１と重なる領域となる。なお、Ｚ軸方向と垂直な方向における幅が、頭部６１３の方がナット部６１１よりも小さくてもよく、この場合には、領域Ｒは、Ｚ軸方向から見て頭部６１３と重なる領域となる。以降の平面度についても、同様である。
【００５０】
また、平面度は、対象平面の幾何学的に正しい平面（Ｚ軸方向に垂直な平面）からの狂いの大きさであり、上記領域Ｒにおいて、対象平面の上下をＺ軸方向に垂直な２平面で挟み込んだ場合の当該２平面間の空間の距離で表現することができる。平面度は、例えば、上記領域Ｒにおいて、対象平面上の離れた３点を通過する平面をそれぞれ設定し、それらの偏差の最大値を算出する等、適宜公知の手法を用いて測定することができる。
【００５１】
本実施の形態では、ナット部６１１の第一締結面６１１ｂの平面度は、バスバー５１０の第一対向面５１０ｂ及びバスバー４１０の第二対向面４１０ｂの双方の平面度よりも小さく形成されている。また、第一締結面６１１ｂの平面度は、バスバー４１０の第三対向面４１０ｃの平面度よりも小さく形成されている。さらに、第一締結面６１１ｂの平面度は、バスバー５１０の第四対向面５１０ｃよりも小さく形成されている。つまり、ナット部６１１の上面の平面度は、バスバー５１０の上下両面及びバスバー４１０の上下両面の平面度よりも小さく形成されている。このような精度の高い平面度を有するナット部６１１は、例えば、鍛造によって作製することができる。
【００５２】
また、ボルト部６１２の頭部６１３の第二締結面６１３ａの平面度は、バスバー５１０の第一対向面５１０ｂ及びバスバー４１０の第二対向面４１０ｂの少なくとも一方の平面度よりも小さく形成されている。また、第二締結面６１３ａの平面度は、バスバー５１０の第四対向面５１０ｃよりも小さく形成されている。さらに、第二締結面６１３ａの平面度は、バスバー４１０の第三対向面４１０ｃの平面度よりも小さく形成されている。つまり、ボルト部６１２の頭部６１３の下面の平面度は、バスバー５１０の上下両面及びバスバー４１０の上下両面の平面度よりも小さく形成されている。なお、このような精度の高い平面度を有する頭部６１３が設けられたボルト部６１２についても、ナット部６１１と同様に、鍛造によって作製することができる。
【００５３】
ここで、第一締結面６１１ｂの平面度は、例えば、第一対向面５１０ｂ、第二対向面４１０ｂ、第三対向面４１０ｃまたは第四対向面５１０ｃの平面度よりも、１０％程度小さいのが好ましく、３０％程度小さいのがより好ましく、５０％程度小さいのがさらに好ましい。
【００５４】
また、第一締結面６１１ｂ及び第二締結面６１３ａは、第一対向面５１０ｂ及び第二対向面４１０ｂの少なくとも一方よりも、軸部６１４の軸方向（Ｚ軸方向）に対して垂直に配置されている。つまり、第一締結面６１１ｂ及び第二締結面６１３ａは、第一対向面５１０ｂ及び第二対向面４１０ｂの少なくとも一方よりも、Ｚ軸方向に対する垂直度が高く形成、言い換えれば、Ｚ軸方向に垂直な平面に対する平行度が高く形成されている。また、第一締結面６１１ｂ及び第二締結面６１３ａは、第三対向面４１０ｃ及び第四対向面５１０ｃよりも、Ｚ軸方向に対して垂直に配置されている。つまり、第一締結面６１１ｂ及び第二締結面６１３ａは、第三対向面４１０ｃ及び第四対向面５１０ｃよりも、Ｚ軸方向に対する垂直度が高く形成、言い換えれば、Ｚ軸方向に垂直な平面に対する平行度が高く形成されている。ここでの垂直度または平行度は、上述の平面度と同様、軸部６１４の軸方向（Ｚ軸方向）から見て、ナット部６１１と頭部６１３とが重なる領域（図４の領域Ｒ）内での垂直度または平行度である。また、垂直度または平行度は、適宜公知の手法を用いて測定することができる。
【００５５】
［３  効果の説明］
以上のように、本発明の実施の形態に係る蓄電装置１０によれば、主電流経路上の第一導電部（バスバー５１０等）及び第二導電部（バスバー４１０等）が第一締結部（ナット部６１１）で締結されている。そして、第一締結部の第二導電部側の第一締結面６１１ｂの平面度は、第一導電部の第一対向面５１０ｂ及び第二導電部の第二対向面４１０ｂの少なくとも一方の平面度よりも小さく形成されている。
【００５６】
ここで、図５に示すように、第一締結部の第一締結面６１１ｂの平面度が大きいと、第一締結部が第二導電部に食い込むことにより、第一締結部による第一導電部及び第二導電部の締結力（軸部６１４の軸力）が緩み易い。図５は、本実施の形態に係る蓄電装置１０が奏する効果を説明するための図である。具体的には、図５は、バスバー４１０及びバスバー５１０を締結部材６１０で締結した状態での構成を示す断面図であり、図４に対応させて従来の問題点を図示している。
【００５７】
図５の（ａ）に示すように、ナット部６１１は、第一締結面６１１ｂのＸ軸プラス方向側の端部が、Ｚ軸プラス方向に突出した形状を有している。つまり、ナット部６１１の第一締結面６１１ｂは、平面度が大きく形成されている。この場合、図５の（ｂ）に示すように、蓄電装置１０の使用に伴い、第一締結面６１１ｂの突出部分が、バスバー４１０の第三対向面４１０ｃに食い込んでしまう。特に、蓄電装置１０において、例えば、蓄電素子２００の充放電に伴って、バスバー５１０及びバスバー４１０の温度変化が繰り返されて膨張収縮が起こると、第一締結面６１１ｂの突出部分が、バスバー４１０の第三対向面４１０ｃに食い込んでしまう。これにより、締結部材６１０によるバスバー５１０及びバスバー４１０の締結力（軸部６１４の軸力）が緩んでしまうため、バスバー５１０及びバスバー４１０の接触面積が減少し、バスバー５１０及びバスバー４１０の接触抵抗が上昇する。
【００５８】
このような問題を回避するために、本実施の形態では、第一締結面６１１ｂの平面度を、第一対向面５１０ｂ及び第二対向面４１０ｂの少なくとも一方の平面度よりも小さくする。このように、第一締結面６１１ｂの平面度を小さくすることにより、第一締結部が第二導電部に食い込み難くなるため、第一導電部及び第二導電部の締結力が緩み難くなる。また、第一締結面６１１ｂの平面度は、第一導電部及び第二導電部の対向面の少なくとも一方の平面度よりも小さいため、第一締結部が第二導電部に食い込んでも、第一導電部及び第二導電部の締結力に影響を及ぼし難い。これにより、第一導電部の第一対向面５１０ｂ及び第二導電部の第二対向面４１０ｂの接触面積が減少するのを抑制することができるため、第一導電部及び第二導電部の接触抵抗の上昇を抑制することができる。
【００５９】
なお、第一対向面５１０ｂ及び第二対向面４１０ｂの少なくとも一方の平面度が、第一締結面６１１ｂの平面度よりも大きいため、第一導電部及び第二導電部の一方が他方に食い込む（または一方が他方に潰される）可能性が考えられる。この場合、第一導電部及び第二導電部の締結力（軸部６１４の軸力）が緩んでしまうおそれがある。
【００６０】
しかし、第一導電部及び第二導電部の一方が他方に食い込む（または潰される）と、第一対向面５１０ｂ及び第二対向面４１０ｂの接触面積が大きくなる。本実施の形態では、例えば、締結部材は、第一導電部及び第二導電部のいずれか一方よりも強度（剛性、硬度）の高い部材であり、締結部材による締結力で第一導電部及び第二導電部の一方が他方に食い込む（または潰される）。そして、第一導電部及び第二導電部の一方が他方に食い込む（または潰される）量が大きくなるほど、両者の締結力は緩んでいくが、両者の接触面積は大きくなっていく。
【００６１】
これにより、第一導電部及び第二導電部の一方が他方に食い込んで（または潰されて）、両者の締結力が緩んでも、第一導電部及び第二導電部の接触抵抗の上昇は抑制される。これに対し、図５に示したような第一対向面５１０ｂ及び第二対向面４１０ｂの平面度が小さい場合には、第一導電部及び第二導電部の一方が他方に食い込み難い（または潰され難い）ため、両者の締結力が緩んでも接触面積は大きくならず、両者の接触抵抗は上昇する。このように、第一締結面６１１ｂの平面度を、第一対向面５１０ｂ及び第二対向面４１０ｂの少なくとも一方の平面度よりも小さくすることで、第一導電部及び第二導電部の接触抵抗の上昇を抑制することができる。
【００６２】
また、第一締結面６１１ｂの平面度は、第一対向面５１０ｂ及び第二対向面４１０ｂの双方の平面度よりも小さく形成されている。このように、第一締結面６１１ｂの平面度を、第一対向面５１０ｂ及び第二対向面４１０ｂの双方の平面度よりも小さくすることで、第一締結部が第二導電部にさらに食い込み難くなるため、第一導電部及び第二導電部の締結力がさらに緩み難くなる。また、第一締結部が第二導電部に食い込んでも、第一導電部及び第二導電部の締結力にさらに影響を及ぼし難い。これにより、第一対向面５１０ｂ及び第二対向面４１０ｂの接触面積が減少するのをさらに抑制することができるため、第一導電部及び第二導電部の接触抵抗の上昇をさらに抑制することができる。
【００６３】
また、第一締結面６１１ｂの平面度は、第三対向面４１０ｃの平面度よりも小さく形成されている。このように、第一締結面６１１ｂの平面度を、第三対向面４１０ｃの平面度よりも小さくすることで、第一締結部が第二導電部に食い込むのを抑制することができる。これにより、第一導電部及び第二導電部の締結力が緩み難くなり、第一対向面５１０ｂ及び第二対向面４１０ｂの接触面積が減少するのを抑制することができるため、第一導電部及び第二導電部の接触抵抗の上昇を抑制することができる。
【００６４】
また、第二締結部（頭部６１３）の第二締結面６１３ａの平面度は、第一対向面５１０ｂ及び第二対向面４１０ｂの少なくとも一方の平面度よりも小さく形成されている。このように、第一締結面６１１ｂの場合に説明したのと同様に、第二締結面６１３ａの平面度を小さくすることにより、第二締結部が第一導電部に食い込み難くなるため、第一導電部及び第二導電部の締結力が緩み難くなる。また、第二締結面６１３ａの平面度は、第一導電部及び第二導電部の対向面の少なくとも一方の平面度よりも小さいため、第二締結部が第一導電部に食い込んでも、第一導電部及び第二導電部の締結力に影響を及ぼし難い。これにより、第一対向面５１０ｂ及び第二対向面４１０ｂの接触面積が減少するのを抑制することができるため、第一導電部及び第二導電部の接触抵抗の上昇を抑制することができる。
【００６５】
［４  変形例の説明］
次に、上記実施の形態の変形例について、説明する。図６は、本実施の形態の変形例に係るバスバー４１０及びバスバー５１０を締結部材６１０で締結した状態での構成を示す断面図である。具体的には、図６は、図４に対応する図である。
【００６６】
図６に示すように、本変形例における締結部材６１０は、上記実施の形態におけるナット部６１１に代えて、ナット部６１５（第一締結部）を有している。ナット部６１５は、上記実施の形態におけるナット部６１１の構成に加えて、突起６１５ａを有している。その他の構成については、上記実施の形態と同様のため、詳細な説明は省略する。
【００６７】
突起６１５ａは、第一締結面６１１ｂからバスバー４１０（第二導電部）に向けて突出する、軸部６１４の周囲を囲う環状の突起である。本実施の形態では、突起６１５ａは、Ｚ軸方向から見て、軸部６１４の周囲を囲う円環状の突起である。また、バスバー４１０の第三対向面４１０ｃには、凹部４１０ｄが形成されている。凹部４１０ｄは、ナット部６１５の突起６１５ａが第三対向面４１０ｃに食い込んで第三対向面４１０ｃが塑性変形することで形成された円環状の凹部である。さらに、バスバー４１０には、凸部４１０ｅが形成されている。凸部４１０ｅは、第三対向面４１０ｃに凹部４１０ｄが形成されることで、第二対向面４１０ｂが塑性変形して形成された円環状の凸部である。そして、バスバー５１０の第一対向面５１０ｂには、凹部５１０ｄが形成されている。凹部５１０ｄは、バスバー４１０の凸部４１０ｅが第一対向面５１０ｂに食い込んで第一対向面５１０ｂが塑性変形することで形成された円環状の凹部である。
【００６８】
例えば、突起６１５ａが設けられたナット部６１５をバスバー４１０に対して回転させることなく、ボルト部６１２を回転させて軸部６１４をナット部６１５に螺合させることで、上述の凹部４１０ｄ、凸部４１０ｅ、及び、凹部５１０ｄが形成される。
【００６９】
ここで、本変形例では、第一締結面６１１ｂは、ナット部６１５のＺ軸プラス方向側の面（上面）のうちの突起６１５ａが形成されていない部分を指している。つまり、第一締結面６１１ｂの平面度の概念には、突起６１５ａによる凹凸は含まれない。同様に、バスバー４１０において、第三対向面４１０ｃの平面度の概念には、凹部４１０ｄによる凹凸は含まれず、第二対向面４１０ｂの平面度の概念には、凸部４１０ｅによる凹凸は含まれない。また、バスバー５１０において、第一対向面５１０ｂの平面度の概念には、凹部５１０ｄによる凹凸は含まれない。
【００７０】
なお、突起６１５ａは、Ｚ軸方向から見て、円環状には限定されず、長円形状、楕円形状、四角形状、その他の多角形状等の環状の突起であってもよい。この場合、凹部４１０ｄ、凸部４１０ｅ、及び、凹部５１０ｄの形状は、突起６１５ａの当該形状に対応した形状となる。
【００７１】
以上のように、本変形例に係る蓄電装置によれば、上記実施の形態と同様の効果を奏することができる。特に、第一締結部（ナット部６１５）は、第一締結面６１１ｂから第二導電部（バスバー４１０）に向けて突出する環状の突起６１５ａを有している。このように、第一締結部が、環状の突起６１５ａを有することで、突起６１５ａが第二導電部を押圧するため、第一導電部と第二導電部との間の面圧を上げることができる。これにより、第一対向面５１０ｂ及び第二対向面４１０ｂの接触面積が減少するのを抑制することができるため、第一導電部及び第二導電部の接触抵抗の上昇を抑制することができる。また、第一導電部と第二導電部との間の面圧を上げることで、外部からの酸素の流入を抑制することができるため、第一対向面５１０ｂ及び第二対向面４１０ｂが酸化し難くなり、これによっても、第一導電部及び第二導電部の接触抵抗の上昇を抑制することができる。
【００７２】
また、バスバー４１０の第二対向面４１０ｂの凸部４１０ｅが、バスバー５１０の第一対向面５１０ｂの凹部５１０ｄに食い込んでいることで、第一対向面５１０ｂ及び第二対向面４１０ｂの接触面積が減少するのを、より抑制することができる。また、第一対向面５１０ｂ及び第二対向面４１０ｂが酸化するのも、より抑制することができる。これらにより、第一導電部及び第二導電部の接触抵抗の上昇を、より抑制することができる。
【００７３】
なお、本変形例において、バスバー４１０の第二対向面４１０ｂには凸部４１０ｅは形成されず、バスバー５１０の第一対向面５１０ｂにも凹部５１０ｄは形成されないことにしてもよい。
【００７４】
（その他の変形例）
以上、本実施の形態及びその変形例に係る蓄電装置について説明したが、本発明は、上記実施の形態及びその変形例には限定されない。つまり、今回開示された実施の形態及びその変形例は、全ての点で例示であって制限的なものではなく、本発明の範囲は特許請求の範囲によって示され、特許請求の範囲と均等の意味及び範囲内での全ての変更が含まれる。
【００７５】
例えば、上記実施の形態及びその変形例では、バスバー５１０等が第一導電部の一例であり、バスバー４１０等が第二導電部の一例であることとした。しかし、バスバー４１０等が第一導電部の一例であり、バスバー５１０等が第二導電部の一例であることにしてもよい。つまり、第一導電部と第二導電部とが逆になった構成でもよい。
【００７６】
また、上記実施の形態及びその変形例では、バスバー５００、バスバー４１０、４２０、正極外部端子１２１及び負極外部端子１２２のうちの締結部材６００によって締結される２つの部材が、第一導電部及び第二導電部の一例であることとした。しかし、第一導電部及び第二導電部は、主電流経路に配置される２つの導電部であれば、どのような部材でもよい。例えば、第一導電部及び第二導電部を、正極外部端子１２１または負極外部端子１２２及び外部のバスバー、または、２つの当該外部のバスバーとしてもよい。また、第一導電部及び第二導電部を、バスバー４００及び蓄電素子２００の電極端子２２０、蓄電素子２００の電極端子２２０及び集電体、蓄電素子２００の集電体及び電極体としてもよい。
【００７７】
また、上記実施の形態及びその変形例では、締結部材６００の軸部６１４は、第一導電部及び第二導電部を貫通することとした。しかし、例えば、軸部６１４は、第一導電部を貫通するのではなく、軸部６１４と第一導電部とが一体に形成されているような構成でもよい。
【００７８】
また、上記実施の形態及びその変形例では、締結部材６００において、第二締結部と軸部６１４とは一体に形成されており、第一締結部と軸部６１４とは別体で構成されていることとした。しかし、第二締結部と軸部６１４とは別体で構成されていてもよいし、第一締結部と軸部６１４とは一体に形成されていてもよい。例えば、第一締結部は、軸部６１４と一体に形成され、第二締結部は、軸部６１４と別体で構成され、かつ、正極外部端子１２１と一体に形成されていることにしてもよい。このような構成は、例えば、第一導電部及び第二導電部が、正極外部端子１２１及びバスバー５５０、または、負極外部端子１２２及びバスバー５７０の場合に、適用可能である。
【００７９】
また、上記実施の形態及びその変形例では、締結部材６００は、ボルト部及びナット部をねじ締めで螺合させて締結する部材であることとした。しかし、締結部材６００は、ねじ締めで螺合させて締結するのではなく、例えば、超音波接合、レーザ溶接または抵抗溶接等による溶接、熱溶着等による溶着、接着剤等による接着、または、嵌合、係合またはかしめ等による機械的接合等で固定して締結する部材であることにしてもよい。
【００８０】
また、上記実施の形態及びその変形例では、締結部材６００のナット部の第一締結面６１１ｂの平面度は、バスバー５１０の第一対向面５１０ｂ及びバスバー４１０の第二対向面４１０ｂの双方の平面度よりも小さく形成されていることとした。しかし、第一締結面６１１ｂの平面度は、第一対向面５１０ｂ及び第二対向面４１０ｂの少なくとも一方の平面度よりも小さく形成されていればよく、第一対向面５１０ｂの平面度または第二対向面４１０ｂの平面度よりも大きく形成されていてもよい。ボルト部６１２の頭部６１３の第二締結面６１３ａについても同様である。また、第一締結面６１１ｂ及び第二締結面６１３ａは、平面度が、第一対向面５１０ｂ及び第二対向面４１０ｂの少なくとも一方の平面度よりも小さく形成されていればよく、Ｚ軸方向に対する垂直度、及び、Ｚ軸方向に垂直な平面に対する平行度についても特に限定されない。
【００８１】
また、上記実施の形態及びその変形例では、締結部材６００のナット部の第一締結面６１１ｂの平面度は、バスバー４１０の第三対向面４１０ｃの平面度、及び、バスバー５１０の第四対向面５１０ｃよりも小さく形成されていることとした。しかし、第一締結面６１１ｂの平面度は、第三対向面４１０ｃの平面度よりも大きく形成されていてもよいし、第四対向面５１０ｃの平面度よりも大きく形成されていてもよい。ボルト部６１２の頭部６１３の第二締結面６１３ａについても同様である。
【００８２】
また、上記実施の形態及びその変形例では、導電部（第一導電部、第二導電部）及び締結部（第一締結部、第二締結部）として例示した全ての締結部分が上記構成を有していることとした。しかし、当該締結部分のうちの一部の締結部分は、上記構成を有していないことにしてもよい。つまり、例えば、バスバー５６０とバスバー４２０とを締結部材６６０で締結する構成が、上述のバスバー５１０とバスバー４１０とを締結部材６１０で締結する構成と同様の構成を有していないことにしてもよい。
【００８３】
また、上記実施の形態及びその変形例に含まれる構成要素を任意に組み合わせて構築される形態も、本発明の範囲内に含まれる。
【００８４】
また、本発明は、このような蓄電装置として実現することができるだけでなく、導電部（第一導電部、第二導電部）及び締結部（第一締結部、第二締結部）としても実現することができる。
【産業上の利用可能性】
【００８５】
本発明は、リチウムイオン二次電池等の蓄電素子を備えた蓄電装置等に適用できる。
【符号の説明】
【００８６】
１０  蓄電装置
１２１  正極外部端子
１２２  負極外部端子
２００  蓄電素子
２２０  電極端子
４００、４１０、４２０、４３０、５００、５１０、５２０、５３０、５４０、５５０、５６０、５７０  バスバー
４１０ａ、５１０ａ、６１１ａ  貫通孔
４１０ｂ  第二対向面
４１０ｃ  第三対向面
４１０ｄ、５１０ｄ  凹部
４１０ｅ  凸部
５１０ｂ  第一対向面
５１０ｃ  第四対向面
６００、６１０、６２０、６３０、６４０、６５０、６６０、６７０、６８０  締結部材
６１１、６１５  ナット部
６１１ｂ  第一締結面
６１２  ボルト部
６１３  頭部
６１３ａ  第二締結面
６１４  軸部
６１５ａ  突起
【図１】
2020149847.tif 000003
【図２】
2020149847.tif 000004
【図３】
2020149847.tif 000005
【図４】
2020149847.tif 000006
【図５】
2020149847.tif 000007
【図６】
2020149847.tif 000008